(57)【特許請求の範囲】
【請求項１】
水を溜める非金属製の外容器（１）内に、卵を入れる中容器（２）を収容し、中容器（２）でマイクロ波の照射による卵の破裂を防止する電子レンジ用卵ゆで器において、
中容器（２）が、卵を載せる中容器本体（７）と、中容器本体（７）に被せる中蓋（８）とからなり、中容器本体（７）には、卵の載置部（１３）を有するテーブル（９）を備え、載置部（１３）の高さを、載せた卵が外容器（１）の底よりも浮く状態に形成し、中蓋（８）の下端部を収容する溝（１０）をテーブル（９）の周囲に形成し、溝（１０）に載せた中蓋（８）の下端を、載置部（１３）に載せた卵の下端以下に低くし、中蓋（８）を金属製に、中容器本体（７）を非金属製にしてあることを特徴とする電子レンジ用卵ゆで器。
【請求項２】
テーブル（９）に卵の載置部（１３）を複数設けてあることを特徴とする請求項１記載の電子レンジ用卵ゆで器。
【発明の詳細な説明】
【０００１】
【発明の属する技術分野】
本発明は、電子レンジでゆで卵を作る電子レンジ用卵ゆで器に関する。
【０００２】
【従来の技術】
従来の電子レンジ用卵ゆで器の一例としては、水を溜める合成樹脂製の容器内に、卵を入れる金属製のケースを収容し、しかも、金属製のケースは、下側のケース本体と上側のケース蓋を突き合わせて卵の全周囲を完全に覆うものが知られている。
【０００３】
ところで、卵の全周囲を金属製のケースで完全に覆ってマイクロ波の透過を阻止してあるのは、マイクロ波が卵に直に照射すると、卵が破裂することがあるからである。しかし、金属製のケースは、卵の全周囲を完全に覆う形態であったので、製品の原価が高くなる。
【０００４】
そこで本発明者は、卵の全周囲のうち大部分を金属製のケースで囲んであれば、卵が破裂せずにゆで卵を作ることができるのではないかと考え、試作、実験を重ねた。
【０００５】
【発明が解決しようとする課題】
本発明は上記実情を考慮して開発されたもので、その目的は、卵へのマイクロ波の透過を阻止する金属素材の使用量を減らし、原価を安くすることである。
【０００６】
【課題を解決するための手段】
請求項１の発明は、水を溜める外容器内に、卵を入れる中容器を収容し、中容器でマイクロ波の照射による卵の破裂を防止する電子レンジ用卵ゆで器において、中容器が、卵を載せる中容器本体と、中容器本体に被せる中蓋とからなり、中容器本体には、卵の載置部を有するテーブルを備え、載置部の高さを、載せた卵が外容器の底よりも浮く状態に形成し、中蓋の下端部を収容する溝をテーブルの周囲に形成し、溝に載せた中蓋の下端を、載置部に載せた卵の下端以下に低くし、中蓋を金属製に、中容器本体を非金属製にしてあることを特徴とする。なお、外容器は、非金属製のものとする。
【０００７】
このようにすると、卵の底側が金属製素材で覆われていなくとも、卵が破裂せずに、ゆで卵になる。卵が破裂しない正確な理由は分からない。しかし、溝を設けて中蓋の下端が卵の下端以下に低くしてあるので、卵の上面と側面が金属製の中蓋で覆われたことになり、マイクロ波は中蓋の真下以外からは、卵に入射しないことになる。つまり、マイクロ波が卵に入射する向きを上向き方向に限定してあることが、卵が破裂しない結果を生んだものと推測される。なお、卵が外容器の底よりも浮く状態なので、卵に照射されるマイクロ波は必ず水を透過し、マイクロ波のエネルギーの大部分は水で吸収される。
【０００８】
卵の載置部は一つだけでもよいが、請求項２の発明のように、テーブルに卵の載置部を複数設けてあってもよい。
【０００９】
【発明の実施の形態】
本発明の電子レンジ用卵ゆで器は、図１と図５に示すように、水Ｗを溜める外容器１内に、卵Ｅを入れる中容器２を収容したものである。
【００１０】
外容器１はマイクロ波を透過する素材（例えばポリプロピレン等の合成樹脂製品）で、底部に水を溜める外容器本体３と、中容器２と一体的に係止した状態で外容器本体３の上に載せる外蓋４とからなる。
【００１１】
外容器本体３の周縁部には持ち手５を左右に対向して設け、中容器２を載せる係合部６を周縁部の内側に沿って段差状に低く形成し、係合部６に中容器２の周縁部を引っ掛けて載せ、中容器２を外容器本体３の底から浮かして支持する。
【００１２】
中容器２は、外容器本体３の係合部６に載せる中容器本体７と、中容器本体７の上に被せて卵を覆う中蓋８とからなり、中容器本体７を合成樹脂製に、中蓋８をステンレス等の金属製にしてある。
【００１３】
中容器本体７は図１から図５に示すように、その中央部には、卵を載せるメッシュ状のテーブル９を上げ底状に設け、中蓋８の下端部を載せる溝１０を、テーブル９の外側に沿って形成し、テーブル９に載せた卵を、外容器本体３の底部に溜めた水よりも浮かして支持し、溝１０の深さをテーブル９に載せた卵の下端よりも低く形成し、外容器本体３の係合部６に載せる鍔状の被係合部１１を周縁部の上部に沿って形成し、周縁部の左右であって被係合部１１の上側にはフック１２を回動可能に設け、中容器本体７の上に載せた外蓋４をフック１２で止めて一体化する。
【００１４】
テーブル９は、全体的に水平に形成すると共に、水蒸気を通過させるためにメッシュ状にしてあり、リング状をなす卵の載置部１３を放射状に複数設け、それら載置部１３を桟１４で支えている。なお、溝１０にも水蒸気を通す抜穴１５を設けてある。
【００１５】
フック１２は、中容器本体７の左右に一対の支持片１６を、それぞれ前後に対向して設け、両支持片１６の貫通穴１７にピン１８を通し、ピン１８でフック本体１９を回動可能に支持する。フック本体１９は、両支持片１６の外側に一対の円弧状のレバー２０を有し、各レバー２０の一端部に上記ピン１８の端部を挿入し、レバー２０の他端部間に押さえ片２１を架設し、押さえ片２１で外蓋４を中容器本体７の上端に押し付けて一体化するものである。
【００１６】
中蓋８は図１又は図５に示すように、その天井高さを、立てた卵の上面だけでなく側面をも覆う程度にし、上面には水蒸気を通す抜穴２２をあけてある。
【００１７】
上述した電子レンジ用卵ゆで器は以下の要領で使用する。まず、外容器本体３の底部に水Ｗを入れ、係合部６と被係合部１１を利用して中容器本体７を外容器本体３に載せ、載置部１３に卵Ｅを立てて置く。続いて、溝１０を利用して中蓋８を中容器本体７の上に載せ、外蓋４を被せ、中容器本体７のフック１２を回動して外蓋４の周縁部にフック１２を引っ掛けて止め、電子レンジに入れて５分から１０分加温する。すると、水蒸気によって、卵が加温され、ゆで卵になる。なお、卵の代わりに、中華まん、肉まん、ジャガイモやサツマイモなどをテーブルに載せて蒸してもよい。
【００１８】
【発明の効果】
本発明は、卵の底側を金属製素材で囲んでいないので、卵の全周を金属製素材で囲む従来品に比べて、金属製素材の使用量が減り、原価が安くなる。また、テーブルに卵の載置部を複数設けてあれば、複数の卵を一度にゆで卵にできるだけでなく、テーブル上の空間が広くなって、卵以外の食品も加温できる。
【図面の簡単な説明】
【図１】本発明の電子レンジ用卵ゆで器を示す縦断面図である。
【図２】中容器本体の平面図で、右側のフックを分解してある。
【図３】中容器本体の縦断面図で、左側のフックを分解してある。
【図４】中容器本体の側面図で、フックを取り外してある。
【図５】電子レンジ用卵ゆで器を示す分解斜視図である。
【符号の説明】
１  外容器
２  中容器
７  中容器本体
８  中蓋
９  テーブル
１０  溝
１３  載置部
【図１】
0003919569.tif 000002
【図２】
0003919569.tif 000003
【図３】
0003919569.tif 000004
【図４】
0003919569.tif 000005
【図５】
0003919569.tif 000006